(57)【特許請求の範囲】
【請求項１】
一対の挿通孔が形成された環状の周壁を有するケースと、
前記ケースの両開口部に設けられる一対のカバーと、
一対の前記挿通孔にそれぞれ挿通されるとともに積層面を有する正電極端子及び負電極端子と、
前記正電極端子の積層面に積層される複数枚の正電極シート、前記負電極端子の積層面に積層される複数枚の負電極シート、及び前記正電極シートと前記負電極シートとの間に位置するとともに同正電極シートと同負電極シートとを絶縁するセパレータを有する電極積層体と、を備え、
前記ケースには、前記積層面に積層された電極シートが電極端子の前記積層面に向けて押さえ付けられることに起因して同電極シートが折れ変形することを抑制する抑制部が同電極端子と並んで設けられており、
前記周壁の内周面には、前記電極端子の端部を支持する支持部が形成されており、
前記抑制部は前記支持部に固定されている、
蓄電装置。
【請求項２】
前記抑制部は前記電極シートに対向する対向面を有し、
前記対向面は前記電極端子及び同抑制部の並び方向において同電極端子から離間するほど同電極シートの積層方向において前記積層面から離間している、
請求項１に記載の蓄電装置。
【請求項３】
前記対向面は前記積層面に対して傾斜した傾斜面である、
請求項２に記載の蓄電装置。
【請求項４】
前記抑制部の両端は、前記周壁の互いに対向する一対の内周面に固定されている、
請求項１〜請求項３のいずれか一項に記載の蓄電装置。
【請求項５】
前記周壁と前記抑制部とは樹脂材料によって一体成形されている、
請求項１〜請求項４のいずれか一項に記載の蓄電装置。
【発明の詳細な説明】
【技術分野】
【０００１】
本発明は、正電極シート、負電極シート、及びセパレータが複数積層された電極積層体を備える蓄電装置に関する。
【背景技術】
【０００２】
この種の蓄電装置としては、二次電池がある（例えば特許文献１参照）。
また従来、図１７に示すような二次電池がある。
図１７に示すように、二次電池は、正電極シート１６０、負電極シート１７０、及びセパレータ１８０が複数積層された電極積層体１５０を備えている。正電極シート１６０は、アルミニウム箔よりなる基材１６３と、基材１６３の両面に被着された活物質層１６４とを有している。負電極シート１７０は、銅箔よりなる基材１７３と、同基材１７３の両面に被着された活物質層１７４とを有している。
【０００３】
各電極シート１６０，１７０における活物質層１６４，１７４が被着されている部分は積層方向において他の電極シート１７０，１６０と対向して配置され、起電部１６１，１７１として機能する。また、これら電極シート１６０，１７０における活物質層１６４，１７４が被着されていない部分は図示しない電極リード体上にそれぞれ積層され、集電部１６２，１７２として機能する。各集電部１６２，１７２はリベット１３６，１４６などによって電極リード体に固定されている。
【０００４】
電極積層体１５０は、電解液と共に図示しないケースに収容される。また、各電極リード体の一端には、ケースの外部に突出する電極端子がそれぞれ接続される。
【先行技術文献】
【特許文献】
【０００５】
【特許文献１】特開２００８―１３０３６０号公報
【発明の概要】
【発明が解決しようとする課題】
【０００６】
ところで、本願発明者は、以下に説明する二次電池を開発した。すなわち、二次電池においては、従来の一対の電極リード体に相当する部材と一対の電極端子に相当する部材とをそれぞれ一体形成し、これら一体化されたもの（以下、電極端子と称する。）が、ケースの周壁に形成された一対の挿通孔に挿通されて組み付けられる。そして、電極端子におけるケースの内部に位置する部分に電極シートが複数積層される。
【０００７】
しかしながら、こうした二次電池においては、各電極シート１６０，１７０及びセパレータ１８０の両面は実際には完全な平面ではないため、図１８に示すように、電極積層体１５０が積層方向に膨らむこととなる。そこで、ケースの内部に電極積層体１５０を収容するために、電極積層体１５０を電極端子１３０，１４０の積層面３０１，４０１に向けて押さえ付ける工程が必要となる。このとき、電極端子１３０，１４０の積層面３０１，４０１に連なる角部３０２，４０２に沿って電極シート１６０，１７０が折れ曲がりやすい。そのため、電極シート１６０，１７０に破れが生じやすくなり、二次電池の歩留まりを悪化させることとなる。
【０００８】
本発明の目的は、電極シートに破れが生じることを抑制することのできる蓄電装置を提供することにある。
【課題を解決するための手段】
【０００９】
上記目的を達成するための蓄電装置は、一対の挿通孔が形成された環状の周壁を有するケースと、前記ケースの両開口部に設けられる一対のカバーと、一対の前記挿通孔にそれぞれ挿通されるとともに積層面を有する正電極端子及び負電極端子と、前記正電極端子の積層面に積層される複数枚の正電極シート、前記負電極端子の積層面に積層される複数枚の負電極シート、及び前記正電極シートと前記負電極シートとの間に位置するとともに同正電極シートと同負電極シートとを絶縁するセパレータを有する電極積層体と、を備え、前記ケースには、前記積層面に積層された電極シートが電極端子の前記積層面に向けて押さえ付けられることに起因して同電極シートが折れ変形することを抑制する抑制部が同電極端子と並んで設けられている。
【００１０】
同構成によれば、ケースには電極端子と並んで抑制部が設けられているため、電極端子の積層面に積層された電極シートが同積層面に向けて押さえ付けられることに起因して同電極シートが折れ変形することを抑制することができる。このため、電極シートに破れが生じることを抑制することができる。
【発明の効果】
【００１１】
本発明によれば、電極シートに破れが生じることを抑制することができる。
【図面の簡単な説明】
【００１２】
【図１】蓄電装置の一実施形態について、同蓄電装置が具体化された二次電池の斜視図。
【図２】同実施形態における二次電池の分解斜視図。
【図３】同実施形態における電極積層体の分解斜視図。
【図４】同実施形態における二次電池について、カバーが取り外されている状態の平面図。
【図５】図４の５−５線に沿った断面図。
【図６】同実施形態のケースの平面図。
【図７】図６の７−７線に沿った断面図。
【図８】図６の８−８線に沿った断面図。
【図９】図７に対応する断面図であって、ケースに対して電極端子が組み付けられた状態を示す断面図。
【図１０】図８に対応する断面図であって、ケースに対して電極端子が組み付けられた状態を示す断面図。
【図１１】図８に対応する断面図であって、ケースに対して規制ピン及びリベットが組み付けられた状態を示す断面図。
【図１２】同実施形態の二次電池について、電極積層体が積層方向に押し付けられている状態を示す断面図。
【図１３】図１２の一部を拡大して示す断面図。
【図１４】図８に対応する断面図であって、ケースに対して押え部材が組み付けられた状態を示す断面図。
【図１５】図８に対応する断面図であって、リベットの頭部がカシメられた状態を示す断面図。
【図１６】変形例の抑制部を中心とした断面図。
【図１７】本願発明者が開発した二次電池の電極積層体の分解斜視図。
【図１８】上記二次電池について、電極積層体が積層方向に押し付けられている状態を示す断面図。
【発明を実施するための形態】
【００１３】
以下、図１〜図１５を参照して、蓄電装置をリチウムイオン二次電池（以下、単に二次電池１０）として具体化した一実施形態について説明する。
図１、図２、図４、及び図６に示すように、二次電池１０のケース２０は、絶縁性樹脂材料により形成された長四角環状の周壁２１を有している。なお、以降において、周壁２１の長辺に沿った方向を長手方向Ｌと称し、短辺に沿った方向を短手方向Ｓと称する。
【００１４】
図１及び図２に示すように、周壁２１の外周面には、複数の肉抜き部２１３が周方向に間隔をおいて形成されている。周壁２１における長手方向Ｌに沿った部位には、同周壁２１を貫通する一対の挿通孔２２が互いに離間して形成されている。また、周壁２１における長手方向Ｌに沿った部位には、同周壁２１を貫通する４つの注入孔２４が形成されている。なお、図１及び図２においては、２つの注入孔２４のみが示されている。各注入孔２４には、ねじ１３が螺入されている。
【００１５】
一対の挿通孔２２のうちの一方には、アルミニウムよりなる柱状の正電極端子３０が挿通されており、他方には、銅よりなる柱状の負電極端子４０が挿通されている。
なお、正電極端子３０及びその周辺の構造と、負電極端子４０及びその周辺の構造とは互いに鏡像の関係にある。したがって、以降においては、正電極端子３０及びその周辺の構造について説明し、負電極端子４０及びその周辺の構造の説明を省略する。なお、負電極端子４０の各構成に対しては正電極端子３０の各構成の符号（「３＊」）に対して「１０」を加算した符号（「４＊」）、あるいは「３＊＊」に対して「１００」を加算した符号（「４＊＊」）を付している。
【００１６】
図２、図４及び図５に示すように、正電極端子３０は、短手方向Ｓに沿って延びており、その先端部はケース２０の外部に突出している。
図２及び図５に示すように、正電極端子３０の基端部を含む部位は、半割れ円柱状をなしており、平面状の積層面３０１を有している。図５に示すように、正電極端子３０の外周面には、リング溝３３が形成されており、同リング溝３３には耐腐食性ゴム材料よりなるＯリング３７が外嵌されている。このＯリング３７はケース２０の挿通孔２２の内周面に圧縮されて状態で接している。
【００１７】
図２、図４〜図８に示すように、ケース２０における正電極端子３０の挿入方向前方に位置する隅部には、正電極端子３０の基端部を支持する支持部２３が一体形成されている。
【００１８】
図５及び図８に示すように、正電極端子３０の基端部及び支持部２３には、孔３２及び支持孔２３１がそれぞれ形成されている。
孔３２及び支持孔２３１には、同図の上方から規制ピン３８が挿通されている。図１０に示すように、規制ピン３８は、孔３２及び支持孔２３１に挿通される軸部３８１と、軸部３８１の基端に一体形成された直方体状の基部３８２とを有している。この規制ピン３８によって支持部２３に対する正電極端子３０の変位が規制される。
【００１９】
図２、図４及び図５に示すように、ケース２０の内部には、電極積層体５０が電解液と共に収容されている。
図２及び図３に示すように、電極積層体５０は、正電極端子３０の積層面３０１に積層される複数枚の正電極シート６０、負電極端子４０の積層面４０１に積層される複数枚の負電極シート７０、及び正電極シート６０と負電極シート７０との間に位置するとともに正電極シート６０と負電極シート７０とを絶縁するセパレータ８０を有している。１枚の正電極シート６０と１枚の負電極シート７０との間に１枚のセパレータ８０が介設されている。なお、図２においては、正電極シート６０、負電極シート７０、及びセパレータ８０をそれぞれ１枚ずつ示している。
【００２０】
正電極シート６０は、例えば約２０μｍの厚さのアルミニウム箔からなる基材６３と、同基材６３の両面に被着された周知の材料からなる活物質層６４とを有している。なお、活物質層６４の材料としては、例えばコバルト酸リチウムなどが挙げられる。正電極シート６０における活物質層６４が被着された部分は積層方向において負電極シート７０と対向して配置され、起電部６１として機能する。また、正電極シート６０における活物質層６４が被着されていない部分は、正電極端子３０の積層面３０１上に積層され、集電部６２として機能する。集電部６２には、長手方向Ｌに対して長い一対の長孔６５が短手方向Ｓにおいて互いに離間して形成されている。
【００２１】
負電極シート７０は、例えば約１０μｍの厚さの銅箔からなる基材７３と、同基材７３の両面に被着された周知の材料からなる活物質層７４とを有している。なお、活物質層７４の材料としては、例えば炭素材料などが挙げられる。負電極シート７０における活物質層７４が被着されている部分は積層方向において正電極シート６０と対向して配置され、起電部７１として機能する。また、負電極シート７０における活物質層７４が被着されていない部分は、負電極端子４０の積層面４０１上に積層され、集電部７２として機能する。集電部７２には、長手方向Ｌに対して長い一対の長孔７５が短手方向Ｓに互いに離間して形成されている。
【００２２】
セパレータ８０は、絶縁性樹脂材料によって形成された不織布であり、１枚の正電極シート６０と１枚の負電極シート７０との間に介設されている。
図２に示すように、各正電極シート６０の集電部６２は、正電極端子３０の積層面３０１と、半割れ円柱状をなす押え部材３４の下面とによって挟持されている。図２及び図５に示すように、正電極端子３０の孔３１、正電極シート６０の長孔６５、及び押え部材３４の孔３５に挿通されたリベット３６によって、これら正電極端子３０、正電極シート６０、及び押え部材３４が互いに締結されている。
【００２３】
図２、図４、図６及び図８に示すように、周壁２１の内周面には、位置決め突起２５が形成されている。この位置決め突起２５に対して正電極シート６０に形成された凹部６６が外挿されることにより、ケース２０に対する正電極シート６０の位置決めがなされる。
【００２４】
図２に示すように、各負電極シート７０の集電部７２は、負電極端子４０の積層面４０１と、半割れ円柱状をなす押え部材４４の下面とによって挟持されている。負電極端子４０の孔４１、負電極シート７０の長孔７５、及び押え部材４４の孔４５に挿通されたリベット４６によって、これら負電極端子４０、負電極シート７０、及び押え部材４４が互いに締結されている。
【００２５】
図２、図４、図６及び図８に示すように、周壁２１の内周面には、位置決め突起２６が形成されている。この位置決め突起２６に対して負電極シート７０に形成された凹部７６が外挿されることにより、ケース２０に対する負電極シート７０の位置決めがなされる。
【００２６】
図２に示すように、周壁２１における長手方向Ｌに沿った内周面には、一対の抑制部２９が一体成形されている。一対の抑制部２９は、短手方向Ｓに沿って延びる平板状をなしており、長手方向Ｌにおいて電極端子３０，４０と並んでいる。
【００２７】
図２、図６及び図７に示すように、抑制部２９の両端は互いに対向する周壁２１の内周面に固定されている。図６に示すように、抑制部２９の一端部（同図の上端部）は支持部２３にも固定されている。
【００２８】
抑制部２９は電極シート６０，７０に対向する対向面２９１を有している。図７に示すように、対向面２９１は長手方向Ｌにおいて同電極端子３０，４０から離間するほど、すなわち同図の左右方向の中間位置に近接するほど、積層方向において積層面３０１，４０１から離間するように同積層面３０１，４０１に対して傾斜した傾斜面である。図１２及び図１３に示すように、本実施形態では、積層面３０１，４０１に対する対向面２９１の傾斜角度αが４５度に設定されている。
【００２９】
図２、図４〜図７に示すように、周壁２１の上面及び下面には、長四角環状の二重の溝２１１，２１２がそれぞれ形成されている。図５に示すように、外周側の溝２１１には、シール剤９３が塗布されている。
【００３０】
図２及び図５に示すように、周壁２１の上下の開口部には、アルミニウム板からなるカバー９１，９２がそれぞれ設けられている。すなわち、図２に示すように、カバー９１，９２の孔９１１，９２１及び周壁２１の孔２７，２８に挿通されるリベット１１，１２によってカバー９１，９２が周壁２１にそれぞれ締結されている。
【００３１】
図５に示すように、規制ピン３８の頂面と同頂面に対向するカバー９１の下面との間隔は、支持孔２３１及び孔３２からの同規制ピン３８の抜け出しがカバー９１によって阻止される大きさとされている。
【００３２】
なお、図４に二点鎖線にて示すように、電極積層体５０とカバー９１との間には、絶縁性樹脂材料よりなる絶縁シート８１が介設されている。また、電極積層体５０とカバー９２との間にも、図示しない同様な絶縁シートが介設されている。なお、図２においては、これら絶縁シート８１の図示を省略している。
【００３３】
次に、本実施形態の二次電池１０の組み付け手順について説明する。
図９及び図１０に示すように、まず、リング溝３３にＯリング３７が外嵌された状態の正電極端子３０及び負電極端子４０をケース２０の外側から挿通孔２２にそれぞれ挿通し、電極端子３０，４０の基端部の下面を支持部２３の上面にそれぞれ当接させる。続いて、図１０に示すように、正電極端子３０の孔３２及び支持部２３の支持孔２３１に対して規制ピン３８を上方から差し込む。また、負電極端子４０側についても同様の作業を行なう。
【００３４】
続いて、図１１に示すように、正電極端子３０の孔３１に対して下方からリベット３６を挿通し、二点鎖線にて示す下側治具１０１によってリベット３６の下端を下方から支持する。
【００３５】
続いて、図２及び図３に示すように、リベット３６に対して正電極シート６０の長孔６５を外挿し、正電極端子３０の積層面３０１上に正電極シート６０を載置する。続いて、正電極シート６０の起電部６１上にセパレータ８０を載置する。
【００３６】
続いて、負電極端子４０のリベット４６に対して負電極シート７０の長孔７５を外挿し、負電極端子４０の積層面４０１上に負電極シート７０を載置する。続いて、負電極シート７０の起電部７１上にセパレータ８０を載置する。
【００３７】
こうした作業を繰り返し行なうことにより、正電極端子３０の積層面３０１及び負電極端子４０の積層面４０１上に正電極シート６０及び負電極シート７０をそれぞれ積層する。
【００３８】
続いて、図１２に示すように、積層された電極シート６０，７０及びセパレータ８０からなる電極積層体５０を電極端子３０，４０の積層面３０１，４０１に向けて上方から上側治具１０２により押さえ付ける。
【００３９】
続いて、図１４に示すように、リベット３６に対して押え部材３４の孔３５を外挿する。
続いて、図１５に示すように、リベット３６の先端をカシメることにより、正電極端子３０、電極積層体５０、及び押え部材３４がリベット３６により締結される。また、負電極端子４０、電極積層体５０、及び押え部材４４についても同様にしてリベット４６によって締結される（図示略）。
【００４０】
続いて、図５に示すように、ケース２０の周壁２１の上面の溝２１１に対してシール剤９３を塗布し、周壁２１の上面にカバー９１を当接させる。続いて、図２に示すように、ケース２０及びカバー９１の孔２７，９１１にリベット１１を挿通するとともに同リベット１１の先端をカシメることにより、ケース２０に対してカバー９１が固定される。また、ケース２０の周壁２１の下面に対しても上面と同様の作業を行なうことにより、ケース２０に対してカバー９２がリベット１２により固定される。なお、図２においては、両端がカシメられた状態のリベット１１，１２が示されている。
【００４１】
そして、各注入孔２４を通じてケース２０の内部に電解液を注入し、同注入孔２４にねじ１３を螺入することにより同注入孔２４を閉塞する。
次に、本実施形態の作用について説明する。
【００４２】
上述したように、二次電池１０の組み付けに際しては、図１２に示すように、積層された電極シート６０，７０及びセパレータ８０からなる電極積層体５０が電極端子３０，４０の積層面３０１，４０１に向けて上側治具１０２により押さえ付けられる。
【００４３】
このとき、ケース２０には電極端子３０，４０と並んで抑制部２９が設けられているため、電極シート６０，７０は積層面３０１，４０１と抑制部２９との間で湾曲することとなる。このため、電極シート６０，７０が折れ変形することを抑制することができる。
【００４４】
以上説明した本実施形態に係る蓄電装置によれば、以下に示す効果が得られるようになる。
（１）ケース２０には、積層面３０１，４０１に積層された電極シート６０，７０が電極端子３０，４０の積層面３０１，４０１に向けて押さえ付けられることに起因して同電極シート６０，７０が折れ変形することを抑制する抑制部２９が同電極端子３０，４０と並んで設けられている。
【００４５】
こうした構成によれば、ケース２０の周壁２１の内周面には電極端子３０，４０と並んで抑制部２９が設けられているため、電極端子３０，４０の積層面３０１，４０１に積層された電極シート６０，７０が同積層面３０１，４０１に向けて押さえ付けられることに起因して同電極シート６０，７０が折れ変形することを抑制することができる。このため、電極シート６０，７０に破れが生じることを抑制することができる。したがって、二次電池１０の歩留まりを向上させることができる。
【００４６】
（２）抑制部２９は電極シート６０，７０に対向する対向面２９１を有し、対向面２９１は電極端子３０，４０及び同抑制部２９の並び方向において同電極端子３０，４０から離間するほど同電極シート６０，７０の積層方向において積層面３０１，４０１から離間している。
【００４７】
こうした構成によれば、電極端子３０，４０の積層面３０１，４０１に積層された電極シート６０，７０が同積層面３０１，４０１に向けて押さえ付けられる際に、電極シート６０，７０の折れ変形を適切に阻止することができる。
【００４８】
（３）対向面２９１が積層面３０１，４０１に対して傾斜した傾斜面であるため、対向面２９１には凹凸が存在しない。したがって、抑制部２９の対向面２９１自体によって電極シート６０，７０に変形が生じることを適切に阻止することができる。
【００４９】
（４）抑制部２９が平板状をなしているため、抑制部２９の板厚を薄くすることが容易にできる。このため、抑制部２９の追加に伴うケース２０の重量増加を抑制することができ、ひいては二次電池１０の重量増加を抑制することができる。
【００５０】
（５）抑制部２９の両端は、周壁２１の互いに対向する一対の内周面に固定されている。
こうした構成によれば、抑制部２９が長手方向Ｌの全体にわたって積層面３０１，４０１に並んで設けられることとなる。このため、電極シート６０，７０の折れ変形を長手方向Ｌの全体にわたって抑制することができる。
【００５１】
また、抑制部２９の両端が周壁２１の内周面に固定されているため、同抑制部２９の剛性を高めることができる。これにより、短手方向Ｓにおける抑制部２９の幅を小さくすることが可能となるため、同抑制部２９を追加することによって電極シート６０，７０の起電部６１，７１の占める空間が制約を受けることを抑制することができる。したがって、単位体積当たりの二次電池１０の容量である体積エネルギ密度の低下を抑制することができる。
【００５２】
（６）周壁２１の内周面には、電極端子３０，４０の端部を支持する支持部２３が形成されており、抑制部２９は支持部２３に固定されている。
こうした構成によれば、電極端子３０，４０の周面が周壁２１に形成された挿通孔２２の内周面によって支持されるとともに、電極端子３０，４０の基端部が周壁２１の内周面に形成された支持部２３によって支持される。このため、電極端子３０，４０を安定して支持することができる。
【００５３】
また、抑制部２９の一端部が周壁２１の内周面及び支持部２３の双方に固定されているため、抑制部２９の剛性を一層高めることができる。
（７）周壁２１と抑制部２９とが樹脂材料によって一体成形されているため、周壁２１と抑制部２９とを樹脂成形によって一度に形成することができ、ケース２０を容易に形成することができる。
【００５４】
＜変形例＞
なお、上記実施形態は、例えば以下のように変更することもできる。
・電極端子３０，４０の積層面３０１，４０１に対する抑制部２９の対向面２９１の傾斜角度αを４５度よりも大きくすることもできる。また、傾斜角度αを４５度よりも小さくすることもできる。
【００５５】
・ケース２０の周壁２１を、電極端子３０，４０の延びる方向に対して長い長四角環状に変更することもできる。また、ケース２０の周壁２１を正方形環状に変形することもできる。また、ケース２０の周壁２１をその他の多角形環状や円環状に変形することもできる。
【００５６】
・抑制部２９を周壁２１と別体にて形成し、振動溶着などによって抑制部２９を周壁２１の内周面に固定することもできる。
・抑制部２９の一端を支持部２３のみに固定し、周壁２１の内周面には固定しないようにすることもできる。
【００５７】
・支持部２３を省略することもできる。この場合、抑制部２９の両端を周壁２１の内周面に固定すればよい。
・抑制部２９の一端のみを周壁２１の内周面に固定することもできる。
【００５８】
・抑制部２９の対向面２９１を曲面状にすることもできる。例えば、図１６に示すように、対向面２９１を断面円弧状にしてもよい。
・シート状のセパレータ８０に代えて、袋状のセパレータを採用することもできる。この場合、セパレータの内部に正電極シート６０の起電部６１または負電極シート７０の起電部７１が挿入される。また、セパレータは、正電極シート６０の起電部６１または負電極シート７０の起電部７１の表面に貼着されて一体化されたものであってもよい。
【００５９】
・二次電池１０に代えて、電気二重層キャパシタとして蓄電装置を具現化することもできる。
【符号の説明】
【００６０】
１０…二次電池、１１，１２…リベット、１３…ねじ、２０…ケース、２１…周壁、２１１，２１２…溝、２１３…肉抜き部、２１４，２１５…外周縁、２２…挿通孔、２３…支持部、２３１…支持孔、２４…注入孔、２５，２６…位置決め突起、２７，２８…孔、２９…抑制部、２９１…対向面、３０…正電極端子、３０１…積層面、３０２…角部、３１，３２…孔、３３…リング溝、３４…押え部材、３５…孔、３６…リベット、３７…Ｏリング、３８…規制ピン、３８１…軸部、３８２…基部、４０…負電極端子、４０１…積層面、４０２…角部、４１…孔、４４…押え部材、４５…孔、４６…リベット、４８…規制ピン、５０…電極積層体、６０…正電極シート、６１…起電部、６２…集電部、６３…基材、６４…活物質層、６５…長孔、６６…凹部、７０…負電極シート、７１…起電部、７２…集電部、７３…基材、７４…活物質層、７５…長孔、７６…凹部、８０…セパレータ、８１…絶縁シート、９１…カバー、９１１…孔、９２…カバー、９２１…孔、９３…シール剤、１０１…下側治具、１０２…上側治具。
【図１】
0006569276.tif 000002
【図２】
0006569276.tif 000003
【図３】
0006569276.tif 000004
【図４】
0006569276.tif 000005
【図５】
0006569276.tif 000006
【図６】
0006569276.tif 000007
【図７】
0006569276.tif 000008
【図８】
0006569276.tif 000009
【図９】
0006569276.tif 000010
【図１０】
0006569276.tif 000011
【図１１】
0006569276.tif 000012
【図１２】
0006569276.tif 000013
【図１３】
0006569276.tif 000014
【図１４】
0006569276.tif 000015
【図１５】
0006569276.tif 000016
【図１６】
0006569276.tif 000017
【図１７】
0006569276.tif 000018
【図１８】
0006569276.tif 000019